【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
前記UEによってビークル・ツー・エブリシング(V2X)送信信号のために使用されることが許可されたリソースブロック(RB)の数の制限を決定するステップであって、前記制限が、前記V2X送信信号が送信されることになるサイドリンクチャネルの輻輳レベルに少なくとも一部基づいて決定される、ステップと、
前記制限に少なくとも一部基づいて、前記V2X送信信号のためのパラメータの組合せを決定するステップであって、前記V2X送信信号のための前記パラメータの組合せが、前記V2X送信信号のための変調およびコーディング方式(MCS)を含むとともに、前記V2X送信信号のためのトランスポートブロック(TB)の数、前記V2X送信信号のためのTB当たりのRBの数、または前記V2X送信信号のための再送信構成のうちの少なくとも1つを含み、
前記V2X送信信号のための前記パラメータの組合せを決定するステップが、
前記V2X送信信号のための最初のパラメータの組合せが前記UEによって前記V2X送信信号のために使用されることが許可された前記RBの数の前記制限を満たすかを決定するために、前記V2X送信信号のための前記最初のパラメータの組合せをテストするステップと、
前記V2X送信信号のための前記最初のパラメータの組合せが前記UEによって前記V2X送信信号のために使用されることが許可された前記RBの数の前記制限を満たさない場合、前記V2X送信信号のための異なるパラメータの組合せをテストするステップであって、
前記V2X送信信号のための前記異なるパラメータの組合せが、前記最初の組合せとは異なる再送信構成、前記最初の組合せより少数のTB、または前記最初の組合せより少数のTB当たりのRBのうちの少なくとも1つを有する、ステップと、
前記V2X送信信号のための前記異なるパラメータの組合せが前記UEによって前記V2X送信信号のために使用されることが許可された前記RBの数の前記制限を満たす場合、前記V2X送信信号のための前記パラメータの組合せとして前記V2X送信信号のための前記異なるパラメータの組合せを選択するステップと
を含む、ステップと、
前記V2X送信信号のための前記パラメータの組合せに少なくとも一部基づいて、前記V2X送信信号を送信するステップと
を含む方法。
【請求項２】
前記V2X送信信号のための前記パラメータの組合せに含まれる、1つまたは複数のパラメータが、前記UEにまたは前記V2X送信信号が送信されるワイヤレスネットワークに関連付けられた、1つまたは複数の動的因子に少なくとも一部基づいて決定される、請求項1に記載の方法。
【請求項３】
前記V2X送信信号のための前記パラメータの組合せに含まれる、1つまたは複数のパラメータが、前記UEの1つまたは複数のアプリケーションに関連付けられたネットワークトラフィック要求に少なくとも一部基づいて決定される、請求項1に記載の方法。
【請求項４】
前記V2X送信信号のための前記パラメータの組合せに含まれる、1つまたは複数のパラメータが、前記V2X送信信号が送信されることになるワイヤレスネットワークに関連付けられた輻輳レベルに少なくとも一部基づいて決定される、請求項1に記載の方法。
【請求項５】
前記V2X送信信号のための前記パラメータの組合せに含まれる、1つまたは複数のパラメータが、前記V2X送信信号が送信されることになるキャリア周波数に少なくとも一部基づいて決定される、請求項1に記載の方法。
【請求項６】
前記V2X送信信号のための前記パラメータの組合せに含まれる、1つまたは複数のパラメータが、前記V2X送信信号の優先度を少なくとも1つの他のV2X送信信号の優先度と比較することに少なくとも一部基づいて決定される、請求項1に記載の方法。
【請求項７】
前記V2X送信信号のための前記パラメータの組合せに含まれる、1つまたは複数のパラメータが、前記UEの速度に少なくとも一部基づいて決定される、請求項1に記載の方法。
【請求項８】
前記V2X送信信号のための前記パラメータの組合せに含まれる、1つまたは複数のパラメータが、前記UEのロケーションの地形に少なくとも一部基づいて決定される、請求項1に記載の方法。
【請求項９】
前記V2X送信信号のための前記パラメータの組合せに含まれる、1つまたは複数のパラメータが、前記UEのロケーションに少なくとも一部基づいて決定される、請求項1に記載の方法。
【請求項１０】
前記V2X送信信号のための前記パラメータの組合せに含まれる、1つまたは複数のパラメータが、前記UEによって前記V2X送信信号のために使用されることが許可された前記RBの数の前記制限を受ける前記V2X送信信号の範囲を最大化するために決定される、請求項1に記載の方法。
【請求項１１】
前記V2X送信信号のための前記パラメータの組合せに含まれる、1つまたは複数のパラメータが、
前記V2X送信信号のビット数、
前記V2X送信信号の送信のためのデッドライン、
前記V2X送信信号に関連付けられた半永続的なスケジューリング周期、または
それらのいくつかの組合せ
のうちの少なくとも1つに少なくとも一部基づいて決定される、請求項1に記載の方法。
【請求項１２】
前記V2X送信信号のための前記パラメータの組合せに含まれる、1つまたは複数のパラメータが、前記UEに関連付けられたデフォルトのMCS、または前記UEに関連付けられた前記V2X送信信号のためのデフォルトのパラメータの組合せに少なくとも一部基づいて決定される、請求項1に記載の方法。
【請求項１３】
複数のパラメータの組合せに対応する、複数のリソースブロック要件を決定するステップと、
前記複数のリソースブロック要件を前記UEによって前記V2X送信信号のために使用されることが許可された前記RBの数の前記制限と比較することに少なくとも一部基づいて、前記V2X送信信号のための前記パラメータの組合せを決定するステップと
をさらに含む、請求項1に記載の方法。
【請求項１４】
前記複数のリソースブロック要件のうちのリソースブロック要件が、MCS、TBの数、RBの数、および再送信構成の特定の組合せを使用して、前記V2X送信信号を送信するために必要とされるリソースブロックの数を示す、請求項13に記載の方法。
【請求項１５】
前記V2X送信信号のための前記パラメータの組合せに含まれる、前記1つまたは複数のパラメータを決定するステップが、
前記UEによって選択された第1のMCSが、前記UEによって使用されることが許可されたピークMCSを超えると決定するステップと、
前記第1のMCSが前記ピークMCSを超えるとの決定に少なくとも一部基づいて、第2のMCSを決定するステップと、
前記第2のMCSが前記ピークMCSを超えないと決定するステップとを含み、
前記V2X送信信号を送信するステップが、前記第2のMCSが前記ピークMCSを超えないとの決定に少なくとも一部基づいて、前記第2のMCSを使用して、前記V2X送信信号を送信するステップを含む、請求項1に記載の方法。
【請求項１６】
しきい値時間量だけ待機した後、または前記UEによって前記V2X送信信号のために使用されることが許可された前記RBの数の前記制限に関連付けられた状態が変化したと決定した後、前記第2のMCSが決定される、請求項15に記載の方法。
【請求項１７】
前記パラメータの組合せが、前記再送信構成を含み、前記再送信構成が、前記V2X送信信号の再送信を有効化し、
前記V2X送信信号のための前記パラメータの組合せを決定するステップが、再送信が有効化されている前記UEによって前記V2X送信信号のために使用されることが許可された前記RBの数の前記制限を満たす、最低のMCS値を選択するステップを含む、請求項1に記載の方法。
【請求項１８】
前記パラメータの組合せが、前記再送信構成を含み、前記再送信構成が、前記V2X送信信号の再送信を無効化し、
前記V2X送信信号のための前記パラメータの組合せを決定するステップが、再送信が無効化されている前記UEによって前記V2X送信信号のために使用されることが許可された前記RBの数の前記制限を満たす、最低のMCS値を選択するステップを含む、請求項1に記載の方法。
【請求項１９】
前記V2X送信信号のための前記パラメータの組合せが、前記再送信構成を含み、
前記方法が、
前記再送信構成が前記V2X送信信号の再送信を有効化するように構成されている前記UEによって前記V2X送信信号のために使用されることが許可された前記RBの数の前記制限を満たす、第1のMCSを含む、第1のパラメータのセットを決定するステップと、
前記再送信構成が前記V2X送信信号の再送信を無効化するように構成されている前記UEによって前記V2X送信信号のために使用されることが許可された前記RBの数の前記制限を満たす、第2のMCSを含む、第2のパラメータのセットを決定するステップと、
前記第1のパラメータのセットを使用して、前記V2X送信信号のための第1の範囲を推定するステップと、
前記第2のパラメータのセットを使用して、前記V2X送信信号のための第2の範囲を推定するステップとをさらに含み、
前記V2X送信信号のための前記パラメータの組合せを決定するステップが、前記第1の範囲と前記第2の範囲との比較に少なくとも一部基づいて、前記第1のパラメータのセットまたは前記第2のパラメータのセットのうちの1つを選択するステップを含む、請求項1に記載の方法。
【請求項２０】
ワイヤレス通信のためのユーザ機器(UE)であって、
メモリと、
前記メモリに動作可能に結合された1つまたは複数のプロセッサと
を備え、前記メモリおよび前記1つまたは複数のプロセッサが、
前記UEによってビークル・ツー・エブリシング(V2X)送信信号のために使用されることが許可されたリソースブロック(RB)の数の制限を決定することであって、前記制限が、前記V2X送信信号が送信されることになるサイドリンクチャネルの輻輳レベルに少なくとも一部基づいて決定される、ことと、
前記制限に少なくとも一部基づいて、前記V2X送信信号のためのパラメータの組合せを決定することであって、前記V2X送信信号のための前記パラメータの組合せが、前記V2X送信信号のための変調およびコーディング方式(MCS)を含むとともに、前記V2X送信信号のためのトランスポートブロック(TB)の数、前記V2X送信信号のためのTB当たりのRBの数、または前記V2X送信信号のための再送信構成のうちの少なくとも1つを含み、
前記1つまたは複数のプロセッサが、前記V2X送信信号のための前記パラメータの組合せを決定するとき、
前記V2X送信信号のための最初のパラメータの組合せが前記UEによって前記V2X送信信号のために使用されることが許可された前記RBの数の前記制限を満たすかを決定するために、前記V2X送信信号のための前記最初のパラメータの組合せをテストすることと、
前記V2X送信信号のための前記最初のパラメータの組合せが前記UEによって前記V2X送信信号のために使用されることが許可された前記RBの数の前記制限を満たさない場合、前記V2X送信信号のための異なるパラメータの組合せをテストすることであって、
前記V2X送信信号のための前記異なるパラメータの組合せが、前記最初の組合せとは異なる再送信構成、前記最初の組合せより少数のTB、または前記最初の組合せより少数のTB当たりのRBのうちの少なくとも1つを有する、ことと、
前記V2X送信信号のための前記異なるパラメータの組合せが前記UEによって前記V2X送信信号のために使用されることが許可された前記RBの数の前記制限を満たす場合、前記V2X送信信号のための前記パラメータの組合せとして前記V2X送信信号のための前記異なるパラメータの組合せを選択することと
を行うように構成される、ことと、
前記V2X送信信号のための前記パラメータの組合せに少なくとも一部基づいて、前記V2X送信信号を送信することと
を行うように構成される、UE。
【請求項２１】
前記V2X送信信号のための前記パラメータの組合せに含まれる、1つまたは複数のパラメータが、
前記UEにまたは前記V2X送信信号が送信されるワイヤレスネットワークに関連付けられた、動的因子、
前記UEの1つまたは複数のアプリケーションに関連付けられたネットワークトラフィック要求、
前記サイドリンクチャネルの前記輻輳レベル、
前記V2X送信信号が送信されることになるキャリア周波数、
前記V2X送信信号の優先度を少なくとも1つの他のV2X送信信号の優先度と比較すること、
前記UEの速度、
前記UEのロケーションの地形、
前記UEのロケーション、
前記V2X送信信号のビット数、
前記V2X送信信号の優先度、
前記V2X送信信号の送信のためのデッドライン、
前記V2X送信信号に関連付けられた半永続的なスケジューリング周期、
前記UEに関連付けられたデフォルトのMCS、もしくは前記UEに関連付けられた前記V2X送信信号のためのデフォルトのパラメータの組合せ、または
それらのいくつかの組合せ
のうちの1つまたは複数に少なくとも一部基づいて決定される、請求項20に記載のUE。
【請求項２２】
前記V2X送信信号のための前記パラメータの組合せに含まれる、1つまたは複数のパラメータが、前記UEによって前記V2X送信信号のために使用されることが許可された前記RBの数の前記制限を受ける前記V2X送信信号の範囲を最大化するために決定される、請求項20に記載のUE。
【請求項２３】
前記メモリおよび前記1つまたは複数のプロセッサが、
複数のパラメータの組合せに対応する、複数のリソースブロック要件を決定することと、
前記複数のリソースブロック要件を前記UEによって前記V2X送信信号のために使用されることが許可された前記RBの数の前記制限と比較することに少なくとも一部基づいて、前記V2X送信信号のための前記パラメータの組合せを決定することと
を行うようにさらに構成される、請求項20に記載のUE。
【請求項２４】
前記メモリおよび前記1つまたは複数のプロセッサが、前記V2X送信信号のための前記パラメータの組合せを決定するとき、
前記UEによって選択された第1のMCSが、前記UEによって使用されることが許可されたピークMCSを超えると決定することと、
前記第1のMCSが前記ピークMCSを超えるとの決定に少なくとも一部基づいて、第2のMCSを決定することと、
前記第2のMCSが前記ピークMCSを超えないと決定することとを行うように構成され、
前記メモリおよび前記1つまたは複数のプロセッサが、前記V2X送信信号を送信するとき、前記第2のMCSが前記ピークMCSを超えないとの決定に少なくとも一部基づいて、前記第2のMCSを使用して、前記V2X送信信号を送信するように構成される、請求項20に記載のUE。
【請求項２５】
しきい値時間量だけ待機した後、または前記UEによって前記V2X送信信号のために使用されることが許可された前記RBの数の前記制限に関連付けられた状態が変化したと決定した後、前記第2のMCSが決定される、請求項24に記載のUE。
【請求項２６】
前記V2X送信信号のための前記パラメータの組合せが、前記再送信構成を含み、前記再送信構成が、前記V2X送信信号の再送信を有効化し、
前記メモリおよび前記1つまたは複数のプロセッサが、前記V2X送信信号のための前記パラメータの組合せを決定するとき、再送信が有効化されている前記UEによって前記V2X送信信号のために使用されることが許可された前記RBの数の前記制限を満たす、最低のMCS値を選択するように構成される、請求項20に記載のUE。
【請求項２７】
前記V2X送信信号のための前記パラメータの組合せが、前記再送信構成を含み、前記再送信構成が、前記V2X送信信号の再送信を無効化し、
前記メモリおよび前記1つまたは複数のプロセッサが、前記V2X送信信号のための前記パラメータの組合せを決定するとき、再送信が無効化されている前記UEによって前記V2X送信信号のために使用されることが許可された前記RBの数の前記制限を満たす、最低のMCS値を選択するように構成される、請求項20に記載のUE。
【請求項２８】
前記V2X送信信号のための前記パラメータの組合せが、前記再送信構成を含み、
前記メモリおよび前記1つまたは複数のプロセッサが、
前記再送信構成が前記V2X送信信号の再送信を有効化するように構成されている前記UEによって前記V2X送信信号のために使用されることが許可された前記RBの数の前記制限を満たす、第1のMCSを含む、第1のパラメータのセットを決定することと、
前記再送信構成が前記V2X送信信号の再送信を無効化するように構成されている前記UEによって前記V2X送信信号のために使用されることが許可された前記RBの数の前記制限を満たす、第2のMCSを含む、第2のパラメータのセットを決定することと、
前記第1のパラメータのセットを使用して、前記V2X送信信号のための第1の範囲を推定することと、
前記第2のパラメータのセットを使用して、前記V2X送信信号のための第2の範囲を推定することとを行うようにさらに構成され、
前記メモリおよび前記1つまたは複数のプロセッサが、前記V2X送信信号のための前記パラメータの組合せを決定するとき、前記第1の範囲と前記第2の範囲との比較に少なくとも一部基づいて、前記第1のパラメータのセットまたは前記第2のパラメータのセットのうちの1つを選択するように構成される、請求項20に記載のUE。
【請求項２９】
ワイヤレス通信のための装置であって、
前記装置によってビークル・ツー・エブリシング(V2X)送信信号のために使用されることが許可されたリソースブロック(RB)の数の制限を決定するための手段であって、前記制限が、前記V2X送信信号が送信されることになるサイドリンクチャネルの輻輳レベルに少なくとも一部基づいて決定される、手段と、
前記制限に少なくとも一部基づいて、前記V2X送信信号のためのパラメータの組合せを決定するための手段であって、前記V2X送信信号のための前記パラメータの組合せが、前記V2X送信信号のための変調およびコーディング方式(MCS)を含むとともに、前記V2X送信信号のためのトランスポートブロック(TB)の数、前記V2X送信信号のためのTB当たりのRBの数、または前記V2X送信信号のための再送信構成のうちの少なくとも1つを含み、
前記V2X送信信号のための前記パラメータの組合せを決定するための手段が、
前記V2X送信信号のための最初のパラメータの組合せが前記装置によって前記V2X送信信号のために使用されることが許可された前記RBの数の前記制限を満たすかを決定するために、前記V2X送信信号のための前記最初のパラメータの組合せをテストするための手段と、
前記V2X送信信号のための前記最初のパラメータの組合せが前記装置によって前記V2X送信信号のために使用されることが許可された前記RBの数の前記制限を満たさない場合、前記V2X送信信号のための異なるパラメータの組合せをテストするための手段であって、
前記V2X送信信号のための前記異なるパラメータの組合せが、前記最初の組合せとは異なる再送信構成、前記最初の組合せより少数のTB、または前記最初の組合せより少数のTB当たりのRBのうちの少なくとも1つを有する、手段と、
前記V2X送信信号のための前記異なるパラメータの組合せが前記装置によって前記V2X送信信号のために使用されることが許可された前記RBの数の前記制限を満たす場合、前記V2X送信信号のための前記パラメータの組合せとして前記V2X送信信号のための前記異なるパラメータの組合せを選択するための手段と
を備える、手段と、
前記V2X送信信号のための前記パラメータの組合せに少なくとも一部基づいて、前記V2X送信信号を送信するための手段と
を備える装置。
【請求項３０】
ワイヤレス通信のための命令を記憶するコンピュータ可読記憶媒体であって、前記命令が、
ユーザ機器(UE)の1つまたは複数のプロセッサによって実行されたときに、前記1つまたは複数のプロセッサに、
前記UEによってビークル・ツー・エブリシング(V2X)送信信号のために使用されることが許可されたリソースブロック(RB)の数の制限を決定することであって、前記制限が、前記V2X送信信号が送信されることになるサイドリンクチャネルの輻輳レベルに少なくとも一部基づいて決定される、ことと、
前記制限に少なくとも一部基づいて、前記V2X送信信号のためのパラメータの組合せを決定することであって、前記V2X送信信号のための前記パラメータの組合せが、前記V2X送信信号のための変調およびコーディング方式(MCS)を含むとともに、前記V2X送信信号のためのトランスポートブロック(TB)の数、前記V2X送信信号のためのTB当たりのRBの数、または前記V2X送信信号のための再送信構成のうちの少なくとも1つを含み、
前記1つまたは複数のプロセッサに前記V2X送信信号のための前記パラメータの組合せを決定することを行わせる命令が、前記1つまたは複数のプロセッサに、
前記V2X送信信号のための最初のパラメータの組合せが前記UEによって前記V2X送信信号のために使用されることが許可された前記RBの数の前記制限を満たすかを決定するために、前記V2X送信信号のための前記最初のパラメータの組合せをテストすることと、
前記V2X送信信号のための前記最初のパラメータの組合せが前記UEによって前記V2X送信信号のために使用されることが許可された前記RBの数の前記制限を満たさない場合、前記V2X送信信号のための異なるパラメータの組合せをテストすることであって、
前記V2X送信信号のための前記異なるパラメータの組合せが、前記最初の組合せとは異なる再送信構成、前記最初の組合せより少数のTB、または前記最初の組合せより少数のTB当たりのRBのうちの少なくとも1つを有する、ことと、
前記V2X送信信号のための前記異なるパラメータの組合せが前記UEによって前記V2X送信信号のために使用されることが許可された前記RBの数の前記制限を満たす場合、前記V2X送信信号のための前記パラメータの組合せとして前記V2X送信信号のための前記異なるパラメータの組合せを選択することと
を行わせる、ことと、
前記V2X送信信号のための前記パラメータの組合せに少なくとも一部基づいて、前記V2X送信信号を送信することと
を行わせる、1つまたは複数の命令を備える、コンピュータ可読記憶媒体。